(57)【要約】      （修正有）【課題】エプロンでありながら、各種用品やゴミ等の収納を可能とするポケット部を有すると共に、エプロン自体の汚れを少なくすることができるエコロジカルなエプロン及びポケット部を提供する。【解決手段】腰に巻くタイプのエプロン１の左側にはエプロン自体に縫製されたポケット１１を有し、その右側には着脱自在の係止具２１で装着されたポケット部２を有している。このポケット部２は、正面部２０１と背面部２０２とを有し、両者間は折り込みを有する両側面部２０３によってつながっており、上部が開口するものである。このように構成することによりエプロン１に係止具２１を介して着脱自在に装着できるようにする。【選択図】図１
0003155567.tif 000002
【実用新案登録請求の範囲】
【請求項１】
エプロン１のポケット部２であって、
該ポケット部２は略袋状のポケット部２よりなり、
更にエプロン１に着脱自在に係止するための係止具２１を有することを特徴とするエプロン用ポケット。
【請求項２】
該ポケット部２の開口部方向に該開口部の開口を狭い状態に係止できる係止具２２を有するポケット部２よりなることを特徴とする請求項１記載のエプロン用ポケット。
【請求項３】
該ポケット部２は、背面部２０２と正面部２０１と側面部２０３とからなる略袋状のポケット部２であることを特徴とする請求項１又は２のいずれかに記載のエプロン用ポケット。
【請求項４】
該ポケット部２の開口部の係止具２２は、正面部２０１と側面部２０３のそれぞれの開口部方向の係止具２２よりなり、該係止具２２を係止することにより、開口部を狭めるものであることを特徴とする請求項１乃至３のいずれかに記載のエプロン用ポケット。
【請求項５】
該ポケット部２の開口部の係止具２２は、正面部２０１と背面部２０２のそれぞれの開口部方向の係止具２２よりなり、該係止具２２を係止することにより、開口部を狭めるものであることを特徴とする請求項１乃至３のいずれかに記載のエプロン用ポケット。
【請求項６】
該ポケット部２の開口部の係止具２２は、側面部２０３と背面部２０２のそれぞれの開口部方向の係止具２２よりなり、該係止具２２を係止することにより、開口部を狭めるものであることを特徴とする請求項１乃至３のいずれかに記載のエプロン用ポケット。
【請求項７】
該ポケット部２の背面部２０２にエプロン１と着脱自在に装着する係止具２１を有することを特徴とする請求項１乃至６のいずれかに記載のエプロン用ポケット。
【請求項８】
略袋状のポケット部２を有するエプロン１であって、
該エプロン１とポケット部２に着脱自在の係止具２１を有し、
エプロン１と該ポケット部２とを着脱自在に構成したことを特徴とするエプロン
【請求項９】
該エプロン１は腰部の周囲を巻くエプロンからなることを特徴とする請求項８記載のエプロン。
【請求項１０】
該エプロンは腰部の周囲を巻くエプロン１と共に胸部に装着する胸部用エプロン３とからなり、
腰部の周囲を巻くエプロン１は、少なくとも腰部に装着するための押さえ部１２を有するものであり、
胸部用エプロン３は腰部用エプロン１とは別部材によって構成されるものであって、
胸部用エプロン３は首に掛ける首掛け部３２と胸部の前方に位置する胸部前方正面部３１とからなり、少なくとも首掛け部３２で首にかけた際に胸部前方正面部３１が腰部より下方にまで延在するものであり、
胸部用エプロン３を装着して胸部前方正面部３１で腰部の周囲を巻くエプロン１によって押さえられることによって装着するものであることを特徴とする請求項８又は９のいずれかに記載のエプロン。
【請求項１１】
首掛け部３２が紐によって構成されて、首回りを結んで巻く首掛け部からなることを特徴とする請求項１０に記載のエプロン。
【請求項１２】
胸部用エプロン３とポケット部２に着脱自在の係止具２１を有し、
胸部用エプロン３に該ポケット部２を着脱自在に装着できることを特徴とする請求項１０又は１１のいずれかに記載のエプロン
【考案の詳細な説明】
【技術分野】
【０００１】
本考案は、エステティックサロンや料理等に際して用いるエプロンであって、取り外し自在のポケットを有するエプロン又は取り外し自在のエプロン用ポケットに関する。
【背景技術】
【０００２】
従来より、エステティックサロンにおいては腰部に巻きつけるエプロンや胸部から腰部全体に巻きつけるエプロンが用いられてきており、特に作業用のポケットを予め有するエプロンは多用されている。
これは同様に料理等に際して用いられるエプロンにおいてもほぼ共通しているものである。
このように示すエプロンのポケットはそもそも予めエプロン自体に縫製して構成されているものである。
【０００３】
係る点で例えば特開２００９−３５８５１号（特許文献１）に示す構成や特開２００６−１６９６８１号（特許文献２）に示す構成がある。
従って、そもそもポケットはエプロン自体に設けられており、必要なポケットを有するエプロンを用いることが多用されているものである。
このことは、必要なものを入れるためのポケットではあるが非常時に収納機能を果たすものとして用いられるものであり、特段の構成は有さないものである。
このことから例えば作業時に大量に出るごみなどは元よりこのポケットなどは用いないものである。
【０００４】
或いは食事に際してのこぼれを収納するために収納部を構成するエプロンも存在する。
これは食事に際してのこぼれた食材をエプロン上で収納するものであり、一定の容量を収納可能とするものである。
この場合においても例えばエプロン自体に大型の収納部を予め構成しているものや、例えば特開２００６−８９８５４号（特許文献３）に示すエプロンのようにエプロン自体を折り込んで収納部であるポケット部分を形成するものも存在する。
【先行技術文献】
【特許文献】
【０００５】
【特許文献１】特開２００９−３５８５１号
【特許文献２】特開２００６−１６９６８１号
【特許文献３】特開２００６−８９８５４号
【考案の概要】
【考案が解決しようとする課題】
【０００６】
以上の様に、収納部であるポケット部を有するエプロンは存在するが、元よりエプロンに縫製して構成するポケットでは例えばごみなどを入れた場合にエプロン全体を洗濯などすることが必要であり、ごみなどをポケットに入れることは通常避けてきているものである。
反面、例えばエステティックサロンなどにおいては、使用時に生ずるごみが一定量出てしまうものであり、これをゴミ箱などへ捨てるのではなく、エプロン自体にこのごみを効率的にかつ手軽に収納できるポケットを有するものであれば、作業効率を上げることができるものである。
【０００７】
したがって、常時エプロンに装着できる反面必要に応じて取り外すことのできるポケットが望まれるものである。
又、ごみの収納時においてもごみを入れるべき開口部分を常時開口状態とするものであると、ごみがこぼれ出てしまうと共に見た目も極めて悪いものであり、スマートかつ綺麗な状態での作業が要求されるエステ作業は相容れられないものとなってしまう。
したがって、見た目においても綺麗な状態を維持できることが要求されるものであり、見栄えのするポケットであることも必要である。
【０００８】
更に例えば特許文献３に示す構成は通常状態と使用状態とを簡単に切り替えられるものであるが、前面全体で折り返し、この部分にごみを収納するものであり、いったんごみを収納した場合にはもはや他の目的には使用できず、後は洗濯するだけのものでしかなく、エステティックサロンなどにおいては到底使用できるエプロンではない。
従って、エプロンでありながら、ゴミの収納が可能なポケット部を有すると共に、このごみをためておくことも捨てることもでき、更にはごみを収納して捨てた後であっても該ごみを理由に洗濯等する必要のないきわめてエコロジカルなエプロンの提供が望まれているものである。
【０００９】
特に該ポケットを有する見栄えの良くかつ使い勝手の良いエプロン或いはエプロンのポケットの提供が望まれるものである。
併せてエステティックサロンにおいて使用されるエプロンに限らず、他の料理や作業時においても使用できる汎用性の高いエプロン或いはエプロンのポケットの提供が望まれるものである。
これらの場合例えば腰部分のみのエプロンが更に簡単に使用を変更して自在に胸部まで及ぶエプロンとしても使用でき、またこれを腰部のみのエプロンにも簡単に仕様変更できるエプロンに用いることにより、多方面の各種状況に対応できるエプロンの提供をも可能とするものであり、係る汎用性の高いエプロンやエプロンのポケットが望まれているものである。
【課題を解決するための手段】
【００１０】
以上のように係る課題を見事に解決するため、エプロンに着脱自在のポケット部を有するものであり、係るため請求項１に係る考案は、エプロンのポケット部であって、該ポケット部は略袋状のポケット部よりなり、更にエプロンに着脱自在に係止するための係止具を有するエプロン用ポケットからなるものであり、係る考案によって前記課題を解決できる。
【００１１】
また請求項２に係る考案は、ポケット部の開口部方向に該開口部の開口を狭い状態に係止できる係止具を有するポケット部よりなるエプロン用ポケットであり、このように構成してもよい。
更に、請求項３に係る考案は、ポケット部は略袋状のポケット部が背面部と正面部と側面部とからなるポケット部であるエプロン用ポケットであり、このように構成するものでもよい。
【００１２】
或いは、請求項４に係る考案のようにポケット部の開口部の係止部は、正面部と側面部のそれぞれの開口部方向の係止具よりなり、該係止具を係止することにより、開口部を狭めるエプロン用ポケットを用いてもよい。
また、請求項５に係る考案のように、ポケット部の開口部の係止具は、正面部と背面部のそれぞれの開口部方向の係止具よりなり、該係止具を係止することにより、開口部を狭めるエプロン用ポケットを用いてもよい。
【００１３】
更に、請求項６に係る考案のようにポケット部の開口部の係止具は、側面部と背面部のそれぞれの開口部方向の係止具よりなり、該係止具を係止することにより、開口部を狭めるものであるエプロン用ポケットでもよい。
また、請求項７に係る考案のようにポケット部の背面部にエプロンと着脱自在に装着する係止具を有するエプロン用ポケットを用いるものでもよい。
これらのほか、請求項８に係る考案に示すように、略袋状のポケット部を有するエプロンであって、該エプロンとポケット部に着脱自在の係止具を有し、エプロンと該ポケット部とを着脱自在に構成したエプロンを用いるものでもよい。
【００１４】
この場合、請求項９に係る考案のようにエプロンは腰部の周囲を巻くエプロンからなるものでもよい。
更に、請求項１０に係る考案は、エプロンは腰部の周囲を巻くエプロンと共に胸部に装着する胸部用エプロンとからなり、腰部の周囲を巻くエプロンは、少なくとも腰部に装着するための押さえ部を有するものであり、胸部用エプロンは腰部用エプロンとは別部材によって構成されるものであって、胸部用エプロンは首に掛ける首掛け部と胸部の前方に位置する胸部前方正面部とからなり、少なくとも首掛け部を首にかけた際に胸部前方正面部が腰部より下方にまで延在するものであり、胸部用エプロンを装着して胸部前方正面部で腰部の周囲を巻くエプロンによって押さえられることによって装着するエプロンを用いてもよい。
【００１５】
この場合、請求項１１に係る考案のように首掛け部が紐によって構成されて首回りを結んで巻く胸部用エプロンを用いるものであってもよい。
更に、請求項１２に係る考案のように、胸部用エプロンとポケット部に着脱自在の係止具を有し、胸部用エプロンと該ポケット部とを着脱自在に構成したエプロンでもよい。
【考案の効果】
【００１６】
以上のように構成したことから、まず請求項１に係る考案によってエプロンに着脱自在のポケットを装着できるものであり、エステティックサロンや美容院あるいは各種備品を使用する接客業等おいて極めて使い勝手の良いエプロン用のポケットの提供ができる。
またこのような構成することによりエコロジーにも寄与するものである。
また請求項２に係る考案によってポケット部の開口を狭めて内容物のこぼれを防止できるものとなり、ゴミやあるいは必要備品のこぼれおちを防止できる。
【００１７】
更に請求項３に係る考案によって、開口を有するポケット部を構成できるものである。
また請求項４に係る考案によって、正面部と側面部とで開口を封鎖できるものとなるとともに請求項５に係る考案によって正面部と背面部とで開口を封鎖できるものであり、請求項６に係る考案によって側面部と背面部とで開口部を操作できるものであり、それぞれ間において着脱自在の係止具を有することにより開口部の開口及び封鎖を任意に行える。
【００１８】
請求項７に係る考案により、ポケット部がエプロンに着脱自在に装着できるものであり、特に背面部の係止具により着脱ができるものである。
また請求項８に係る考案によって、エプロンに着脱自在のポケットを装着できるものであり、エステティックサロンや美容院あるいは各種備品を使用する接客業等おいて極めて使い勝手の良いポケットを有するエプロンの提供ができる。
この場合、請求項９に係る考案のように腰に巻くエプロンとして用いることにより使い勝手の良いエプロンの提供ができるものである。
【００１９】
更には請求項１０に係る考案により、腰部用エプロンとは別部材からなる胸部用エプロンを必要に応じて用いることができるものであって、簡単に胸部用エプロンの着脱ができるものとなる。
この場合請求項１１に係る考案により首掛け部が紐によって構成されることにより首回りの任意の位置で結ぶことができることから各人それぞれ異なる体型に対応して首掛け部を構成できる。
これらの場合、請求項１２に係る考案により胸部用エプロンに着脱自在のポケット部を用いることができ、より応用範囲の広いポケット部を有するエプロンの提供を可能とするものである。
【図面の簡単な説明】
【００２０】
【図１】本考案に係るポケット部を有するエプロンの一例を示す図
【図２】本考案に係るポケット部を有するエプロンの一例を示す図
【図３】本考案に係るエプロンのポケット部の一例を示す図
【図４】本考案に係るエプロンのポケット部の一例を示す図
【図５】本考案に係るポケット部を有するエプロンの一例を示す図
【図６】本考案に係るポケット部を有するエプロンの一例を示す図
【図７】本考案に係るエプロンのポケット部の他の一例を示す図
【図８】本考案に係るエプロンのポケット部の他の一例を示す図
【図９】本考案に係るエプロンの胸部用エプロンの一例を示す図
【図１０】本考案に係るエプロンの胸部用エプロンを装着した一例を示す図
【考案を実施するための形態】
【００２１】
図１は、本考案に係るエプロンの一例を示す図であり、腰に巻くタイプのエプロン１の左側には通常のエプロン自体に縫製されたポケット１１を有し、その右側には着脱自在の係止具２１で装着されたポケット部２を有している。
このポケット部２は、正面部２０１と背面部２０２とを有し、両者間は折り込みを有する両側面部２０３によってつながっており、上部が開口するものである。
このように構成することによりまずエプロン１に係止具２１を介して着脱自在に装着できるものである。
【００２２】
尚、この折り込みを有する両側面部２０３はことさら折り目があるものに限らす、少なくとも一定の幅を有する側面部２０３であればよい。
更に折り込みを有する側面部２０３によって該ポケット部２の容量を増すことができるものである。
また正面部と側面部は更に係止部２２によって両者の間隔を狭めるものであり、この係止具２２を開口部方向に形成するものであることから該ポケット部２の開口部を小さく形成できるものとなる。
本図に示す構成はポケット部２の開口を閉じて狭め、内容物が外部に出ないように構成できるものである。
【００２３】
従って、エプロン１にポケット部２を着脱自在に装着できるものであり、必要に応じて装着し、例えばごみ等がたまった段階でエプロン１から取り外して該ゴミを簡単に捨てることができ、極めて使い勝手の良いポケット部２を提供できるものである。
更に、例えばエステティックサロン等において、作業中に多数の物をポケット部２に入れることが要求されるような場合には、該着脱自在で取り外しができるポケット部２は極めて使いやすいものであり、また必要に応じて空のポケット部２や、作業に必要な部材の入ったポケット部２に交換できるものでもある。
【００２４】
次に正面部２０１と背面部２０２間を一定の幅を有する側面部２０３によって容量を増すことができるものであり、更にポケット部２内にものを入れやすくすると共に取り出しやすくもできるものとなる。
また正面部２０１と側面部２０３間に係止具２２を有することにより側面部の開きを少なくするものとなって両者間の幅を狭く構成できるものである。
従って、開口部方向に該係止具２２を設ける場合には開口を狭く形成でき、ポケット内部の収納物が開口部からこぼれ出てしまうことを防げるものである。
【００２５】
尚、正面部２０１と側面部２０３間における係止のための係止具２２は、これに限らず正面部２０１と直接背面部２０２とを係止するものでも、或いは正面部２０１と背面部２０２との係止に際して側面部２０３を押さえて或いは巻き込んで或いは介して係止するものであってもよい。
又、背面部２０２と側面部２０３とを係止具によって係止するものであってもよい。
少なくとも該ポケット部の開口方向の開口の幅を狭めるための係止具２２を有し、開口部を開いた状態から狭めた状態に形成でき、また係止具２２の係止を解くことによって開口部の開口を狭めた状態から広げた状態に代えることができるものであればよい。
【００２６】
尚、本図に示すエプロンは腰に巻くタイプのものであり、押さえ紐等の押さえ部１２により腰部周りに巻きつけてあるいは結んで装着するものである。
例えばこの押さえ紐同士を結ぶものことによって装着するものである。
もとよりこのエプロン１は一例であり、割烹着タイプのものでも、或いは胸から腰まで及ぶエプロンでもよいものであり、エプロンの形状に限定されるものではない。
【００２７】
図２は、図１に示す構成におけるポケット部の正面部２０１と側面部２０３間の係止具２２の係止を解いて開口部を広げた状態の一例を示す図である。
本図に示すように広い開口を表出できる。
これによって簡単にポケット部２内のものを入れられ、また必要に応じて取り出せるものである。
尚、ポケット部２の背面部２０２は、係止具２１によってエプロン１に係止されているものである。
【００２８】
この場合、該ポケット内部にビニール袋を入れるものであって、ポケット開口部に合わせてビニールの開口を位置させて収納し、ポケット部の内周に沿って同様にビニール袋を配置し、さらに該ポケット部の開口部から該開口の周縁部外にビニール開口周縁部を突出してポケット部の開口部の外にまでビニールの開口周縁を垂らし出すように装着するものでもよい。
この上、垂らし出したビニール袋の一部分を係止具２１でポケット部の背面部２０２とエプロン１との間に挟み込んで装着することによりポケット部にビニール袋を体裁よくかつきっちりと装着できるものである。
【００２９】
このように構成すると汚れ物等をポケット部に入れる場合であっても、そもそもポケット部内のビニール袋内に収納することとなり、エプロン部のみならずポケット部のいずれも汚れることがなく、該汚れ物はビニール袋内に収納した状態で廃棄する等の処置ができるものである。
従って、不必要な汚れを付けることがなくきわめてエコロジカルなものとして用いることができる。
尚、係止具２１により、簡単にエプロン１とポケット部の背面部２０２間にビニール袋を挟み込めるものであり、ビニール袋の着脱もきわめて容易である。
【００３０】
図３は、エプロン１から取り外したポケット部の一例を示す図である。
本図に示すように背面部２０２の両側部には側面部２０３が連設しており、更に側面部２０３の他方の側辺部に正面部２０１が連設しているものである。
この場合正面部２０１の開口部方向端部方向において連設する側面部２０３の端部方向を重ねた状態で係止具２２ａを装着しており、更にこの係止具２２ａに着脱自在に係止する他方の係止具２２ｂは側面部２０３の他端方向に装着しているものである。
【００３１】
従って両者の係止具２２を用いて係止すると正面部２０１端部が側面部２０３の背面部２０２方向端部と係止されるものとなることから、側面部２０３の幅が係止部２２によって狭い状態で係止されるものとなって、開口幅を狭く構成するものとなる。
尚、ポケット部２の構成は一例であり、本構成に限定されるものではなく、少なくとも袋状のポケット部２の開口部方向を係止具２２によって係止することにより開口部を狭く構成でき、更に係止具２２の係止を解くことによって開口部の広い開口を構成できるものであればよい。
【００３２】
尚、ポケット部２には更にエプロン部１と着脱自在に係止するための係止具２１を有している。
本図構成においては、背面部２０２の上方両端部方向に２か所係止具２１ａを有している。
該係止具２１ａによってエプロン１に装着した係止具２１ｂと係止することによって着脱自在に係止できるものである。
これにより、必要に応じて取り外すことができるものとなる。
【００３３】
図４は、図３に示す正面部２０１の係止具２２ａと側面部２０３の係止具２２ｂとを係止させた状態の一例であり、両係止具２２によって係止された状態の一例を示す図である。
このように構成することによって開口部を綺麗に閉じておくことができるものである。
【００３４】
図５は、エプロン１の一例を示す図であり、エプロンからポケット部２を取り外した状態の一例を示す図である。
本図においては図１乃至４に対応して一例として係止部として２か所の係止具２１ｂの装着がなされているものである。
図１乃至４に示すようにポケット部２が横方向に一定の幅を有することから該横方向の両端部に係止具２１を有することによって確実なるポケット部の装着ができるものとなることから２か所に係止具２１を有するものである。
【００３５】
従って、本構成に限定されるものではなく、他の場所や異なる個数の係止具を有するものであればよい。
尚、係止具２１、２２として雄型の係止具と雌型の係止具をもって構成し、両者を着脱自在に嵌着することによって係止する係止具２１、２２を一例として示すが、これに限らず他の係止具２１、２２を用いるものであってもよい。
即ち二つの部材或いは二点において着脱自在に係止可能なものであればよく、フック形状のもの、掛かり止め形状のもの、はめ込み形状もの、ファスナー或いは面ファスナー形状のもの、接着形状のもの等着脱自在に係止可能なものであればよく、これらはいずれもが係止具２１、２２に該当するものである。
【００３６】
図６は、エプロン１にポケット部２を装着し、かつポケット部２内部にものを収納して膨らんだ状態の一例を示す図である。
このように開口部が膨らんで収納物の収納及び取り出しが容易となる。
図７は、ポケット部２の他の例を示す図であり、背面部２０２と正面部２０１に係止具２２を有し、該係止具２２同士が係止するが、両者間に側面部２０３が挟まれる構成の係止具の一例を示す図である。
【００３７】
図８は、更にポケット部２の他の例を示す図であり、背面部２０２と正面部２０１に係止具２２を有し、該係止具２２同士を係止することによって開口部を狭める係止具の一例を示す図である。
このように他の位置や異なる個数の係止具を有して該開口部の開口を閉じ又は広げることのできる係止具を用いるものであってもよい。
【００３８】
図９は、本考案に係るエプロン１に関し、腰部の周囲を巻くエプロン１に対して、更に胸部までを覆うエプロン３に自在に変更できる胸部用エプロンを示す。
すなわち腰のまわりを巻くエプロン１のさらに胸部を本図に示す胸部用エプロン３を用いることによって腰部と共に胸部まで覆うことができ、更に該胸部用エプロン３は着脱自在に腰部に巻くエプロン１に簡単に装着できるものである。
【００３９】
まず首に掛ける首掛け部３２と胸部の前方に位置する胸部前方正面部３１よりなる。
この場合胸部前方正面部３１は、首掛け部３２により首にかけた上で該胸部前方正面部３１を胸前方に位置させるものであり、その長さは少なくとも腰部より下に位置する長さを有するものである。
この胸部前方正面部３１の下方部分が腰に巻くエプロン１の腰回りの押さえ紐等の押さえ部１２によってエプロン内側で抑えられるものである。
【００４０】
更に、この首掛け部３２は本図に示す、首をそう入するための孔を有する構成に限らず胸部前方正面部３１の上部両端方向にそれぞれ紐を有し、これと結ぶことにより首にかけるものでもよい。
これにより、それぞれ各人異なる体形、体格に応じて適切に装着ができるものとなる。
尚、紐には、紐状部材を含むものであり、幅を有する帯状部材も紐に該当するものである。
【００４１】
図１０は、図９に示す胸部用エプロン３を腰部用エプロン１と共に装着した一例を示す図である。
本図のように構成することにより、腰部用のエプロン１を更に胸部まで覆うことが可能となり、必要に応じて胸部まで覆うエプロンとしても使用でき、また必要に応じて簡単に取り外せるものとなる。
尚、本発明に係るポケット部２をこの胸部用エプロン３に装着するものであってももちろん良い。
【符号の説明】
【００４２】
１  エプロン
１１  エプロンのポケット
１２  押さえ部
２  ポケット部
２０１  正面部
２０２  背面部
２０３  側面部
２１  係止具
２２  係止具
３  胸部用エプロン
３１  胸部前方正面部
３２  首掛け部
【図１】
0003155567.tif 000003
【図２】
0003155567.tif 000004
【図３】
0003155567.tif 000005
【図４】
0003155567.tif 000006
【図５】
0003155567.tif 000007
【図６】
0003155567.tif 000008
【図７】
0003155567.tif 000009
【図８】
0003155567.tif 000010
【図９】
0003155567.tif 000011
【図１０】
0003155567.tif 000012